(57)【要約】【課題】薬剤を外部に吐出する吐出開口を備えてなる櫛歯部とブラシ歯部を備えてなる毛髪用塗布具において、塗布具からの薬剤の垂れ落ちを抑制することができる毛髪用塗布具を提供する。【解決手段】薬剤が充填される容器本体１２、及び容器本体１２の開口端部１２ａに連結されるとともに、ブラシ歯部１６と容器本体１２を挟持圧縮することにより薬剤が吐出される吐出開口が形成されている櫛歯部１５とが互いに背面を対向するように配設されている櫛体１３を備える毛髪用塗布具１１において、ブラシ歯部１６及び櫛歯部１５との間に吐出開口より吐出された薬剤を保持する凹部１３ａが形成されている。【選択図】図１
2008048949.tif 000002
【特許請求の範囲】
【請求項１】
薬剤が充填される容器本体、及び前記容器本体の開口端部に連結されるとともに、ブラシ歯部と前記容器本体を挟持圧縮することにより薬剤が吐出される吐出開口が形成されている櫛歯部とが互いに背面を対向するように配設されている櫛体を備える毛髪用塗布具において、
前記ブラシ歯部及び櫛歯部との間に前記吐出開口より吐出された薬剤を保持する薬剤保持部が形成されていることを特徴とする毛髪用塗布具。
【請求項２】
前記薬剤保持部は、凹部であることを特徴とする請求項１記載の毛髪用塗布具。
【請求項３】
前記薬剤保持部は、前記ブラシ歯部と櫛歯部間の長手方向において、前記櫛歯部の基台面の長手方向の長さより略同一又は長いことを特徴とする請求項１又は請求項２記載の毛髪用塗布具。
【請求項４】
前記薬剤保持部は、少なくとも前記ブラシ歯部の背面によって形成されていることを特徴とする請求項１から請求項３のいずれか一項記載の毛髪用塗布具。
【請求項５】
前記ブラシ歯部の長手方向の長さが、前記櫛歯部の長手方向の長さと略同一又は長いことを特徴とする請求項４記載の毛髪用塗布具。
【請求項６】
前記ブラシ歯部の基台の幅が、前記櫛歯部の基台の幅よりも２〜２０ｍｍ大きいものであることを特徴とする請求項４又は請求項５記載の毛髪用塗布具。
【請求項７】
前記容器本体は、有底筒状に構成されるとともに、前記ブラシ歯部の基台面が前記容器本体の軸線に対し、５〜３０°の角度で上向きに傾斜していることを特徴とする請求項１から請求項６のいずれか一項記載の毛髪用塗布具。
【請求項８】
前記ブラシ歯部は、複数のブラシ歯を有してなり、該複数のブラシ歯は、頭皮に接触させた際、ブラシ歯部の基台面の長手方向と頭皮表面が略平行状態になるように基台面上に立設されることを特徴とする請求項１から請求項７のいずれか一項記載の毛髪用塗布具。
【発明の詳細な説明】
【技術分野】
【０００１】
本発明は、毛髪用塗布具に関し、詳しくはブラシ歯部の基台及び薬剤吐出開口を有する櫛歯部との間に薬剤保持部を設けることにより、塗布具からの薬剤垂れ落ち抑制効果等の向上を図った毛髪用塗布具に関する。
【背景技術】
【０００２】
一般に、ファッションの１つとして、染毛剤により毛髪の色を変えたり、脱色剤や脱染剤により毛髪の色を落としたり、パーマ処理剤により毛髪にウェーブをかける等、各種毛髪処理剤（薬剤）により毛髪に変化を施すことが広く定着している。前記毛髪処理剤は各個人で毛髪用塗布具を用いて毛髪に塗布することができる。
【０００３】
前記薬剤の毛髪用塗布具として、従来より特許文献１〜３に記載される毛髪用塗布具が知られている。特許文献１に記載される毛髪用塗布具は、薬剤を収容する容器本体と薬剤吐出開口が形成されている平板状の櫛歯部からなる薬剤吐出用の櫛体とを備えている。容器本体内の薬剤は容器本体を挟持圧縮することにより薬剤吐出口から櫛歯部外部へ吐出される。しかしながら、前記平板状の櫛歯部からなる櫛体では毛髪の表面全体に薬剤を塗布するには優れているものの、生え際等の細かい部分に対しては塗布しにくいものであった。また、毛髪の根元付近に塗布するには何度もコーミングしなければならず、時間がかかり、さらに毛髪や頭皮への物理的なダメージも大きかった。しかも、各個人で薬剤を塗布する作業は目では見えない部分の作業が多く、特許文献１に開示される毛髪用塗布具の構成では毛髪全体を均一に塗布することは困難であった。
【０００４】
そこで、特許文献２に記載される毛髪用塗布具は、薬剤を外部に吐出する櫛体において、薬剤を吐出可能な大きな櫛歯部と薬剤を吐出可能な小さな櫛歯部とを有し、それらの背面が対向するように配設されている。しかしながら、薬剤を吐出可能な小さな櫛を備えることで生え際等の細かい部分に塗布するには優れているものの、毛髪の全体を均一に塗布するには有用なものではなかった。
【０００５】
そこで、特許文献３に記載される毛髪塗布具は、毛髪表面に残る薬剤を毛髪根元付近にまで押し込むための短いブラシ歯を備えている。しかしながら、薬剤を塗布する作業は手が汚れるため、それぞれの機能を持った櫛及びブラシの２本を、作業中に持ち替えることは煩雑であるという問題があった。上記の問題を解決するために、特許文献１に記載されている薬剤吐出用の櫛体と、特許文献３に記載されている薬剤を押し込むブラシとを互いに背面が対向するように組み合わせ、一つの塗布具において櫛部とブラシ歯部を持つ毛髪用塗布具を形成することも可能である。
【特許文献１】特開平９−０２３９２２号公報
【特許文献２】特開平８−１９６３２９号公報
【特許文献３】特開２００３−０３３２２６号公報
【発明の開示】
【発明が解決しようとする課題】
【０００６】
ところが、毛髪全体を頭皮表面方向にブラシで梳くという作業は毛髪に付着した薬剤からの抵抗を受けるため、薬剤を少しずつ櫛又はブラシで押さえ込んで上下方向に移動させるよりも力が必要となる。それにより、薬剤が充填される容器本体が強く把持されると、薬剤吐出用の櫛体から薬剤が漏れ出てしまい、予期せぬところに薬剤が垂れて汚染するという問題があった。
【０００７】
本発明は、このような従来技術に存在する問題点に着目してなされたものである。その目的とするところは、薬剤を外部に吐出する吐出開口を備えてなる櫛歯部とブラシ歯部を備えてなる毛髪用塗布具において、塗布具からの薬剤の垂れ落ちを抑制することができる毛髪用塗布具を提供することにある。
【課題を解決するための手段】
【０００８】
上記の目的を達成するために、請求項１に記載の毛髪用塗布具は、薬剤が充填される容器本体、及び前記容器本体の開口端部に連結されるとともに、ブラシ歯部と、前記容器本体を挟持圧縮することにより薬剤が吐出される吐出開口が形成されている櫛歯部とが互いに背面を対向するように配設されている櫛体を備える毛髪用塗布具において、前記ブラシ歯部及び櫛歯部との間に前記吐出開口より吐出された薬剤を保持する薬剤保持部が形成されていることを特徴とする。
【０００９】
請求項２に記載の発明は、前記薬剤保持部は、凹部であることを特徴とする。
請求項３に記載の発明は、前記薬剤保持部は、前記ブラシ歯部と櫛歯部間の長手方向において、前記櫛歯部の基台面の長手方向の長さより略同一又は長く形成されていることを特徴とする。
【００１０】
請求項４に記載の発明は、前記薬剤保持部は、少なくとも前記ブラシ歯部の背面によって形成されていることを特徴とする。
請求項５に記載の発明は、前記ブラシ歯部の長手方向の長さが、前記櫛歯部の長手方向の長さと略同一又は長いことを特徴とする。
【００１１】
請求項６に記載の発明は、前記ブラシ歯部の基台の幅が、前記櫛歯部の基台の幅よりも２〜２０ｍｍ大きいものであることを特徴とする。
請求項７に記載の発明は、前記容器本体は、有底筒状に構成されるとともに、前記ブラシ歯部の基台面が前記容器本体の軸線に対し、５〜３０°の角度で上向きに傾斜していることを特徴とする。
【００１２】
請求項８に記載の発明は、前記ブラシ歯部は、複数のブラシ歯を有してなり、該複数のブラシ歯は、頭皮に接触させた際、ブラシ歯部の基台面の長手方向と頭皮表面が略平行状態になるように基台面上に立設されることを特徴とする。
【発明の効果】
【００１３】
本発明によれば、塗布具からの薬剤の垂れ落ちを抑制することができる毛髪用塗布具を提供することができる。
【発明を実施するための最良の形態】
【００１４】
以下に、本発明の毛髪用塗布具を具体化した一実施形態を図１〜１０に基づいて詳細に説明する。
図１〜３に示されるように本実施形態の毛髪用塗布具１１は、薬剤が充填されるとともに把持部としての役割を有する容器本体１２及び該容器本体１２中の薬剤を毛髪に塗布・なじませるための櫛体１３から構成されている。さらに、櫛体１３は櫛体本体１４及び該櫛体本体１４に固定される櫛歯部１５とブラシ歯部１６とから構成されている。櫛歯部１５は容器本体１２中の薬剤を外部に吐出するための吐出開口１５ａが形成されている。毛髪用塗布具１１は櫛歯部１５によって薬剤を毛髪に塗布することができるとともにブラシ歯部１６によって毛髪に塗布された薬剤を頭髪全体になじませることができる。
【００１５】
容器本体１２は有底円筒状に成形され、容器上端には薬剤を充填又は吐出するための開口端部１２ａが形成されている（図１，４参照）。容器本体１２は手で挟持・押圧することによって容易に変形・収縮し、手を離すことによって元の形状に復元するように可撓性を有する材料で構成されることが好ましい。容器本体１２を構成する材料は公知の合成樹脂を適用することができ、例えばガス透過性を有する高密度ポリエチレン（ＨＤＰＥ）、中密度ポリエチレン（ＭＤＰＥ）、低密度ポリエチレン（ＬＤＰＥ）、ポリプロピレン（ＰＰ）等が挙げられる。また、容器本体１２の壁面は、単層でも二種以上の樹脂層を積層したものでもよく、さらには二種以上の樹脂材料を混合重合したものであってもよい。また、ガス透過性を有する材料を使用することで、毛髪化粧料に例えば過酸化水素などの分解ガスを発生する成分が含まれている場合であっても容器本体１２の破裂を十分に防止することができる。
【００１６】
櫛体１３は、有蓋筒状の櫛体本体１４及び該櫛体本体１４の軸線Ｘを挟んでそれぞれの背面を対向するように配設される櫛歯部１５とブラシ歯部１６から構成されている（図１，６，７参照）。櫛体本体１４の内部には通路１４ａが形成され、櫛体本体１４の下端開口部１４ｂと容器本体１２の開口端部１２ａとが例えば螺合等により連結されることにより、容器本体１２の内部と通路１４ａが連通される。また、櫛体１３は櫛歯部１５とブラシ歯部１６の背面間において薬剤保持部としての凹部１３ａが設けられている。
【００１７】
凹部１３ａは、櫛歯部１５の背面１５ｂ、ブラシ歯部１６の背面１６ａ及び櫛体本体１４の外面１４ｃによって構成されている。凹部１３ａは櫛体本体１４の軸線Ｘに対し、前後両側面において、ブラシ歯部１６と櫛歯部１５間の長手方向に形成されている。凹部１３ａはブラシ歯部１６を用いて薬剤を毛髪になじませる際、櫛歯部１５が凹部１３ａを挟んでブラシ歯部１６の上方に位置するよう配設されている（図８参照）。ブラシ歯部１６の使用時において、把持部としての容器本体１２を押圧したときに、吐出開口１５ａから漏れ出てきた薬剤１７が凹部１３ａ内側に収容される（図９参照）。かかる構成により、凹部１３ａはブラシ歯部１６の使用時において、櫛歯部１５の吐出開口１５ａから櫛歯部１５の背面１５ｂへ流れ出てきた薬剤が毛髪用塗布具１１から垂れ落ちるのを抑制することができる。
【００１８】
櫛歯部１５は、複数の櫛歯１５ｃと該櫛歯１５ｃを立設する櫛歯用の基台１５ｄとから構成されている。該櫛歯１５ｃは正面形状が略三角形状の一定の厚みを有する板状に成形され、容器本体１２の軸線方向に沿って一定間隔で１列に配列されている。櫛歯１５ｃが板状に成形されることにより、櫛歯１５ｃ間において薬剤は自身の表面張力により保持されるため、薬剤保持力が向上する。櫛歯１５ｃが正面形状を略三角形状に成形されることにより、髪を掻き分けやすくなり、薬剤の塗布性が向上する。尚、櫛歯１５ｃは容器本体１２の軸線Ｘに対して、平行方向に複数列に配列してもよい。かかる構成により、毛髪を掻き分けやすくなるとともに薬剤の塗布ムラが減り、より容易に薬剤を塗布することができる。頭皮のダメージ低減の観点より、各櫛歯１５ｃの先端を曲面に形成することが好ましい。
【００１９】
薬剤を外部に吐出する吐出開口１５ａは、該櫛歯１５ｃの上端部付近において板面垂直方向に貫通形成されている。櫛歯１５ｃ内は、板面平行方向に貫通されるとともに櫛体本体１４内の通路１４ａと連通される櫛歯内通路１５ｆが形成されている。該櫛歯内通路１５ｆは吐出開口１５ａと連通されている（図６，７参照）。容器本体１２内の薬剤は櫛体本体１４内の通路１４ａ及び櫛歯内通路１５ｆを通って吐出開口１５ａから外部に吐出される。凹部１３ａの長手方向の長さは、櫛歯部１５の基台面１５ｅの長手方向の長さより略同一又は長くなるように成形されている。櫛歯部１５の基台面１５ｅからブラシ歯部１６側へ垂れ落ちた薬剤をより効果的に確実に抑制することができる。
【００２０】
ブラシ歯部１６は、ブラシ歯１６ｂと該ブラシ歯１６ｂを立設させるブラシ歯用の基台１６ｃとから構成されている。ブラシ歯部１６の背面１６ａは、凹部１３ａの一部を構成する。かかる構成により、吐出開口１５ａから漏れ出てきたより多くの薬剤をより確実に保持することができる。ブラシ歯用の基台１６ｃは、ブラシ歯１６ｂが立設される基台面１６ｄが、容器本体１２の軸線Ｘに対し、上向きに５〜３０°の角度で傾斜するように櫛体本体１４に固定されている（図１，４，５）。尚、櫛体本体１４の軸線Ｘと容器本体１２の軸線Ｘは同一である。この角度でブラシ歯部１６を毛髪用塗布具１１に固定することにより、容器本体１２を把持した手指がブラシ歯部１６の基台面１６ｄの延長面と交差しにくくなる。かかる構成により、ブラシ歯１６ｂを頭皮に当接させた際、頭部に容器本体１２を把持した手指が接触しにくくなるため、容器本体１２を持った手が自然な状態になる（図８参照）。したがって、薬剤の塗布性が向上するため、容器本体１２にかかる無駄な力を低減させることができる。それにより、薬剤の吐出開口１５ａからの吐出を抑制することができる。容器本体１２を把持する手の手首の角度をより自然な状態にして、薬剤の垂れ落ちをより防止するために、ブラシ歯部１６の角度を１０〜２０°にすることがより好ましく、さらに好ましくは１０〜１５°である。この角度が５°未満であると容器本体１２の軸線Ｘに対して基台面１６ｄが平行に近づくため、塗布中に手指が頭部に触れ易くなる。一方、前記角度が３０°よりも大きいと、容器本体１２を把持する手の手首が不自然な状態になるために、手に無駄な力が入ることにより塗布性が低下する。それにより薬剤が吐出開口１５ａから流出及び垂れ落ちを招くおそれがある。
【００２１】
ブラシ歯部１６の長手方向の長さは、櫛歯部１５の長手方向の長さと略同一又は長くなるように構成されている。かかる構成により、薬剤が塗布された部分に全面に対応して、毛髪を梳かしなじませることができる。それによって何度も毛髪を梳かす必要がない。ブラシ歯部用の基台面１６ｄは幅方向の中央部においてブラシ歯１６ｂ方向に盛り上がった湾曲形状になるように構成されている（図４，５）。それにより、基台面１６ｄを毛髪上でスライドさせた際（ブラシ歯部１６使用時）、薬剤が基台面１６ｄの幅方向中央部において毛髪中に押し込まれる。ブラシ歯１６ｂの長さは、基台面１６ｄから３〜８ｍｍになるよう形成されている。かかる長さに形成することにより、薬剤を毛髪中に押し込む、なじませ効果を増加させることができる。なじませ効果の向上のためには３〜６ｍｍがより好ましい。３ｍｍよりも短いと、毛髪のボリュームによって毛髪の根元にまでブラシ歯１６ｂの先端が到達しない可能性がある。一方、８ｍｍよりも長いと、なじませ効果が低下する。
【００２２】
ブラシ歯部用の基台１６ｃの幅は、櫛歯部１５の幅よりも大きくなるように形成されている。基台１６ｃの背面１６ａによって形成されている凹部１３ａの表面積を大きくすることができる。基台１６ｃの幅と櫛歯部１５の幅との差は、２〜２０ｍｍとなるよう形成されることが好ましく、より好ましくは５〜１０ｍｍである。２ｍｍよりも小さいとブラシ歯部１６が斜めになったときに効果的に薬剤を受け止めることができない。一方、幅の差が２０ｍｍよりも大きいとブラシ歯部１６使用時における薬剤のなじませ効果が低下するとともに、ブラシ歯部１６が邪魔となり櫛歯部１５の使用時における櫛歯部１５の使用状態を確認することが困難となる。尚、図２に示されるように、櫛歯部１５側から櫛体１３を見た場合、櫛歯部１５の左右両側面から飛び出ているブラシ歯部１６の背面１６ａ領域は同一であることが好ましい。
【００２３】
複数のブラシ歯１６ｂはブラシ歯部用の基台面１６ｄの長手方向と頭皮表面が略平行状態で頭皮に接触するように立設されている（図４，５参照）。基台面１６ｄ上に立設される複数のブラシ歯１６ｂの先端は、同一平面上（頭皮２２上）に存在するよう形成される（図１０参照）。ブラシ歯部１６使用時において、ブラシ歯１６ｂの先端を頭皮２２に接触させながら移動させる際、安定に毛髪２２ａ全体に薬剤１７ａを塗布することができる。ブラシ歯部１６において、頭皮２２の同一平面上において接触するブラシ歯１６ｂ間に、長さの短い歯１６ｅを立設させてもよい。ブラシ歯部１６により毛髪２２ａを梳いたとき、薬剤１７ａを容易に絡め取ることができるとともに、毛髪２２ａを掻き分けやすくなり、毛髪２２ａ根元付近の塗りむらを低減することができる。ブラシ歯部１６の基台面１６ｄ上に立設しているブラシ歯１６ｂは、それぞれの隣り合うブラシ歯１６ｂ間の距離が４〜８ｍｍとなるように形成されることが好ましい。かかる構成により、毛髪２２ａ表面に付着した薬剤１７ａを漏れなく絡め取りながら毛髪上になじませることができる。さらに薬剤が付着した毛髪を梳くときの抵抗が少なくなる。
【００２４】
櫛体本体１４、櫛歯部１５、及びブラシ歯部１６から構成される櫛体１３は、ＰＰ（ポリプロピレン）、ＬＬＤＰＥ（直鎖状低密度ポリエチレン）、ＬＤＰＥ（低密度ポリエチレン）、ＭＤＰＥ（中密度ポリエチレン）、ＨＤＰＥ（高密度ポリエチレン）、ＡＢＳ（アクリロニトリル−スチレン共重合体とアクリロニトリル−スチレン共重合体を混合したもの）、ＡＳ（アクリロニトリル−スチレン共重合体）、ＰＳ（ポリスチレン）、ＰＣ（ポリカーボネート）等の合成樹脂材料、及びそれらを混合したものにより、それぞれ形成することができる。これらの中でも引っ張り強さや伸び率が高いことからＰＰ、ＬＬＤＰＥ、ＬＤＰＥ、ＭＤＰＥ及びＨＤＰＥが好ましい。また、単層でも二種以上の樹脂層を積層したものでもよく、あるいは二種以上の樹脂材料を混合重合したものでもよい。その他、ブラシ歯部１６はゴム等の弾性体により形成されていてもよい。弾性体で形成することにより、頭の形に容易にフィットし、毛髪根元付近に薬剤を確実に押し込むことができる。また、頭皮の刺激低減効果も高くなる。ブラシ歯部１６の基台１６ｃを弾性体により形成し、ブラシ歯１６ｂを上述した合成樹脂材料により形成してもよい。かかる構成により、毛髪上を滑らかにブラシ歯１６ｂが移動するとともに、頭の形に容易にフィットさせることもできる。
【００２５】
以上詳述した本実施形態の毛髪用塗布具１１によれば、以下のような効果が発揮される。
（１）本実施形態では、ブラシ歯部１６と吐出開口１５ａが形成されている櫛歯部１５とが互いに背面を対向するように配設されている櫛体１３を備える毛髪用塗布具１１において、ブラシ歯部１６と櫛歯部１５との間に吐出開口１５ａより吐出された薬剤を保持する薬剤保持部としての凹部１３ａを形成した。したがって、毛髪用塗布具１１からの薬剤の垂れ落ちを抑制することができ、予期せぬところに薬剤が垂れ落ちて周囲への汚染を防止することができる。
【００２６】
（２）本実施形態では、薬剤保持部を櫛歯部１５の背面１５ｂ、ブラシ歯部１６の背面１６ａ及び櫛体本体１４の外面１４ｃによって形成される凹部１３ａとして構成した。したがって、櫛歯部１５の吐出開口１５ａから漏れ出てきた薬剤１７が凹部１３ａ内に収容されるため、毛髪用塗布具１１からの薬剤１７の垂れ落ちを確実に抑制することができる。
【００２７】
（３）本実施形態では、凹部１３ａはブラシ歯部１６と櫛歯部１５間の長手方向において、櫛歯部１５の基台面１５ｅの長手方向の長さより略同一又は長くなるように形成した。したがって、櫛歯部１５の基台面１５ｅからブラシ歯部１６側へ漏れ出てきた薬剤をより確実に抑制することができる。
【００２８】
（４）本実施形態では、凹部１３ａを構成する内面の一部は、ブラシ歯部１６の背面１６ａによって形成されている。したがって、櫛体本体１４において櫛歯部１５の対向位置にブラシ歯部を取り付けることによって凹部１３ａを作成することが可能であるため、薬液保持部の形成が容易である。
【００２９】
（５）本実施形態では、ブラシ歯部１６の長手方向の長さが、櫛歯部１５の長手方向の長さと略同一又は長くなるよう形成した。したがって、櫛歯部１５で薬剤が付着された毛髪部分をブラシ歯部１６で何度も梳く必要がないため、容器本体１２に付与される力を低減させることができる。また、ブラシ歯部１６で梳くことによる頭皮や毛髪への物理的なダメージを減らすことができる。また、ブラシ歯部１６の背面１６ａが凹部１３ａの一部として構成されることに関連して、確実に薬剤の垂れ落ちを抑制することができる。
【００３０】
（６）本実施形態では、ブラシ歯部１６の基台１６ｃの幅が、櫛歯部１５の幅よりも２〜２０ｍｍ大きくなるよう形成した。したがって、ブラシ歯部１６の背面１６ａが凹部１３ａの一部として構成されることに関連して、より確実に櫛歯部１５の吐出開口１５ａから垂れ落ちてきた薬剤を受け止めることができる。
【００３１】
（７）本実施形態では、ブラシ歯部１６の基台面１６ｄが容器本体１２の軸線Ｘに対し、５〜３０°の角度で上向きに傾斜するように形成した。したがって、基台面１６ｄの延長面と容器本体１２を把持した手指が交差しにくくなる。そのため、塗布中に手指が頭皮面に触れにくく持ちやすいため、手が自然な状態になり無駄な力が容器本体１２に付与されない。頭部の薬剤による汚染を抑制することができる。
【００３２】
（８）本実施形態では、複数のブラシ歯１６ｂはブラシ歯部１６用の基台面１６ｄの長手方向と頭皮表面が略平行状態で頭皮に接触するように立設した。したがって、ブラシ歯部１６使用時において、ブラシ歯１６ｂの先端を頭皮に接触させながら移動させる際、安定して毛髪全体に薬剤を塗布することができる。容器本体１２に無駄な力が付与されないため、頭部の薬剤による汚染を抑制することができる。つまり、頭の形に沿ったブラシ歯部１６の移動は、複数のブラシ歯１６ｂによる頭皮上への接触を維持するのみで、基台面１６ｄの安定した平行移動が可能となるため、より少ない動作で毛髪全体に薬剤を塗布することができる。このように塗布に必要な動作を少なくすることができるため、余分な力を必要とせず、誤って容器本体１２を把持して内部の薬剤が漏れ出てくるのを抑制することができる。また、ブラシ歯１６ｂが形成される面が頭皮２２と略平行であるため、ブラシ歯部１６から頭皮に与える刺激を分散・低減させることができる。
【００３３】
（９）本実施形態では、薬剤を吐出及び塗布するための櫛歯部１５と毛髪表面に塗布された薬剤を毛髪根元付近にまで押し込んで均一化するブラシ歯部１６を１つの櫛体１３に取り付けた。したがって、薬剤塗布作業において、複数の櫛を持ち変える必要がなく、周囲への汚染を防止することができるとともに、塗布作業が容易になる。
【００３４】
なお、上記実施形態は以下のように変更して構成することもできる。
・図１１に示されるように、薬剤保持部としての凹部１３ａは、内部にスポンジ等の弾性体２１（吸収体）がはめ込まれていてもよい。それによって、櫛歯部１５の吐出開口１５ａから垂れ落ちてきた薬剤を吸収体に吸収・保持させることができるため、より確実に塗布具からの垂れ落ちを抑制することができる。
【００３５】
・図１２に示されるように、薬剤保持部としての凹部１３ａは、該凹部１３ａ内に小さい凸部１８が形成されていてもよい。該小さい凸部１８は凹部１３ａ中のどこに形成されていても良く、好ましくはブラシ歯部用の基台１６ｃの上下左右の端縁部がよい。それによって、垂れ落ちてきた薬剤をさらにより確実に受け止めることができ、塗布具からの垂れ落ち抑制効果が向上する。
【００３６】
・上記実施形態では、薬剤保持部を櫛歯部１５の背面１５ｂ、ブラシ歯部１６の背面１６ａ及び櫛体本体１４の外面１４ｃの３側面からなる凹部１３ａを形成した。しかしながら、凹部の形状は特に限定されず、例えば図１３（ａ）に示されるように、薬剤保持部は断面形状が、三角形状の凹部１３ｂとして構成してもよい。また、図１３（ｂ）に示されるように、櫛歯部１９の側面と同一平面上にある櫛体本体１４の側面１４ｄとブラシ歯部用の基台１６ｃの背面１６ａとによって凹部１３ｃを形成してもよい。
【００３７】
・上記実施形態では、薬剤保持部を櫛体本体１４の側面において凹部として構成した。しかしながら、薬剤保持部は、薬液が流出する距離を長くすることができる形状であれば特に限定されない。例えば図１４に示されるように櫛体本体１４側面から突出する凸部２０の形状であってもよい。かかる構成により、櫛体本体１４の側面における表面積が増大するため、薬液が流出する距離が長くなり、凹部形状と同様に薬液の垂れ落ちを防止することができる。
【００３８】
・薬剤保持部の形状は、櫛体本体１４の軸線を中心として両側面において対称でなくてもよい。
・上記実施形態では、凹部１３ａは櫛歯部１５の基台面１５ｅの長手方向の長さより略同一又は長くなるよう構成した。しかしながら、凹部１３ａは、櫛体本体１４の長手方向の一部に形成されていてもよい。
【００３９】
・ブラシ歯部用の基台１６ｃの断面形状は、特に限定されず、例えば楕円形状等であってもよい。
・ブラシ歯部１６の背面１６ａは、幅方向の両端縁部に向かうにしたがって、櫛歯部１５側に反り返った湾曲形状であってもよい。それによって、櫛歯部１５の吐出開口１５ａから垂れ落ちてきた薬剤をより確実に受け止めることができる。
【００４０】
・ブラシ歯１６ｂの側面は、毛髪移動方向に対し鋭角に形成されてもよい。かかる構成により、毛髪を掻き分ける抵抗が軽減し、容器本体１２の把持力を低減させることができる。
【００４１】
・ブラシ歯１６ｂの先端は、曲面又は球状に構成してもよい。かかる構成により、頭皮をなぞる際の抵抗が軽減され、容器本体１２の把持力を低減することができる。また、頭部にかかる圧力も低減でき、頭皮刺激低下につながる。
【００４２】
・櫛体本体１４が有底筒状の容器本体１２の軸線Ｘに対し傾斜させることにより、ブラシ歯部１６の基台面１６ｄを容器本体１２の軸線Ｘに対して傾斜させてもよい。
・本実施形態において、櫛歯部１５とブラシ歯部１６は背面を対向させて、両基台面同士が幅方向に平行になるように配設した（図１参照）。しかしながら、背面を対向させて構成すればよく、両基台面同士が幅方向に平行に構成されていなくてもよい。
【００４３】
・薬剤吐出のための吐出開口及び容器本体に連通する通路をブラシ歯部１６にも形成してもよい。それによって、薬剤の吐出が不足した部分に、薬剤を少量ずつ吐出しながら塗布していく（手直し）することができる。
【００４４】
・容器本体１２に収容する薬剤の粘度は特に限定されない。また、薬剤の種類は、染毛剤、パーマ剤、シャンプー、トリートメント、リンス、育毛剤等の毛髪化粧料等、クリーム状、ゲル状、ペースト状、液状等、特に限定されない。
【００４５】
次に、上記実施形態及び別例から把握できる技術的思想について、それらの効果とともに以下に追記する。
（ａ）前記ブラシ歯部は、幅方向中央部において盛り上がった湾曲形状の基台面であって、該基台面に立設される前記ブラシ歯は、先端が同一平面上になるよう前記基台面から垂直方向に立設されることを特徴とする毛髪用塗布具。したがって、複数のブラシ歯の先端部によって形成される平面（頭皮接触面）の面積を大きくすることができる。それにより、頭皮上にかかる圧力が減少し、頭皮刺激が低減される。また、塗布の抵抗によりブラシ歯部１６が倒れたりせず、安定に塗布できる。
【図面の簡単な説明】
【００４６】
【図１】本実施形態における毛髪用塗布具を示す側面図。
【図２】本実施形態における毛髪用塗布具を示す櫛歯側正面図。
【図３】本実施形態における毛髪用塗布具を示すブラシ歯部側正面図。
【図４】本実施形態における毛髪用塗布具を示す平面図。
【図５】図１におけるブラシ歯部用の基台面の長手方向と平行な矢印Ｓ方向からの斜視図。
【図６】図２における要部Ａ−Ａ断面図。
【図７】図１におけるＢ−Ｂ断面図。
【図８】本実施形態における毛髪用塗布具のブラシ歯部の使用図。
【図９】薬剤が凹部内に収容された際のＢ−Ｂ断面図。
【図１０】図１におけるブラシ歯部用の基台面の長手方向と平行な矢印Ｓ方向から見たブラシ歯部の頭皮における使用状態を示す図。
【図１１】この発明の別の実施形態の毛髪用塗布具を示すＢ−Ｂ断面図。
【図１２】この発明の別の実施形態の毛髪用塗布具を示すＢ−Ｂ断面図。
【図１３】この発明の別の実施形態の毛髪用塗布具を示すＢ−Ｂ断面図。（ａ）及び（ｂ）は、凹部の形状における別例を示す断面図。
【図１４】この発明の別の実施形態の毛髪用塗布具を示すＢ−Ｂ断面図。
【符号の説明】
【００４７】
１１…毛髪用塗布具、１２…容器本体、１２ａ…開口端部、１３…櫛体、１３ａ，１３ｂ，１３ｃ…薬剤保持部としての凹部、１４…櫛体本体、１５，１９…櫛歯部、１５ａ…櫛歯部の吐出開口、１５ｂ…櫛歯部の背面、１５ｃ…櫛歯、１５ｄ…櫛歯部の基台、１５ｅ…櫛歯部の基台面、１６…ブラシ歯部、１６ａ…ブラシ歯部の背面、１６ｂ…ブラシ歯、１６ｃ…ブラシ歯部の基台、１６ｄ…ブラシ歯部の基台面、１７，１７ａ…薬剤、１８…小さい凸部、１９…櫛歯部、２０…薬剤保持部としての凸部、２２…頭皮、Ｘ…軸線。
【図１】
2008048949.tif 000003
【図２】
2008048949.tif 000004
【図３】
2008048949.tif 000005
【図４】
2008048949.tif 000006
【図５】
2008048949.tif 000007
【図６】
2008048949.tif 000008
【図７】
2008048949.tif 000009
【図８】
2008048949.tif 000010
【図９】
2008048949.tif 000011
【図１０】
2008048949.tif 000012
【図１１】
2008048949.tif 000013
【図１２】
2008048949.tif 000014
【図１３】
2008048949.tif 000015
【図１４】
2008048949.tif 000016